(57)【要約】吸収性物品１０は、トップシート１２と、バックシート１４と、トップシート１０とバックシート１４との間の中間層１５とを有している。トップシート１０、バックシート１４又は中間層１５のうちの少なくとも１つが、３５０ｃｃ／ｍ２の雄側空隙容積を備える三次元真空成形フィルムであり、この三次元真空成形フィルムは、Third Insult Testにおいて少なくとも８゜Ｆの温度の最初の１分の減少を有する。
2006524112.tif 000002
【特許請求の範囲】
【請求項１】
吸収性物品において、
トップシートと、
バックシートと、
トップシートとバックシートとの間に位置する中間層とが設けられており、
トップシート、バックシート又は中間層のうちの少なくとも１つが、少なくとも３５０ｃｃ／ｍ２の雄側空隙容積を備える三次元の真空成形されたフィルムを含み、
吸収性物品が、Third Insult Testにおける少なくとも８゜Ｆの温度の最初の１分の減少を有することを特徴とする、吸収性物品。
【請求項２】
トップシートが、三次元真空成形フィルムを含む、請求項１記載の吸収性物品。
【請求項３】
バックシートが、三次元真空成形フィルムを含む、請求項１記載の吸収性物品。
【請求項４】
中間層が、三次元真空成形フィルムを含み、前記中間層が吸収性コアに隣接している、請求項１記載の吸収性物品。
【請求項５】
少なくとも１つの三次元成形フィルムの雄側空隙容積が、４５０ｃｃ／ｍ２よりも大きい、請求項１記載の吸収性物品。
【請求項６】
温度の最初の１分の減少が少なくとも９゜Ｆである、請求項１記載の吸収性物品。
【請求項７】
三次元フィルムが流体不透過性である、請求項３記載の吸収性物品。
【請求項８】
三次元フィルムが吸収性コアとトップシートとの間に位置している、請求項４記載の吸収性物品。
【請求項９】
中間層が、雄側空隙容積を維持するために、三次元成形フィルムと、吸収性コアと、吸収性コアと前記三次元成形フィルムとの間の分離層とを含んでいる、請求項１記載の吸収性物品。
【請求項１０】
中間層が、雄側空隙容積を維持するために、吸収性コアと、分離層とを含んでおり、該分離層がトップシートと吸収性コアとの間に位置している、請求項２記載の吸収性物品。
【請求項１１】
中間層が、雄側空隙容積を維持するために、吸収性コアと、分離層とを含んでおり、該分離層がバックシートと吸収性コアとの間に位置している、請求項３記載の吸収性物品。
【請求項１２】
吸収性物品において、
身体対面側と、反対側の衣料対面側とを備える吸収性コアが設けられており、
少なくとも３５０ｃｃ／ｍ２の雄側空隙容積を有する三次元成形フィルムが設けられており、
吸収性物品が、吸収性コアの身体対面側又は衣料対面側に三次元成形フィルムを備えたThird Insult Testにおいて少なくとも８゜Ｆの温度の最初の１分の減少を有していることを特徴とする、吸収性物品。
【請求項１３】
三次元成形フィルムが、少なくとも４５０ｃｃ／ｍ２の雄側空隙容積を有している、請求項１２記載の吸収性物品。
【請求項１４】
温度の最初の１分の減少が少なくとも９゜Ｆである、請求項１２記載の吸収性物品。
【請求項１５】
雄側空隙容積を維持するために吸収性コアと三次元成形フィルムとの間に分離層が設けられている、請求項１２記載の吸収性物品。
【請求項１６】
三次元成形フィルムが、吸収性コアの身体対面側に位置している、請求項１５記載の吸収性物品。
【請求項１７】
三次元成形フィルムが、吸収性物品の衣料対面側に位置している、請求項１５記載の吸収性物品。
【発明の詳細な説明】
【技術分野】
【０００１】
関連する出願とのレファレンス
本願は、２００３年４月２４日に出願された米国特許出願第１０／４２２７０３号明細書の利益を主張し、この米国特許出願は２０００年９月２２日に出願された米国特許出願第０９／６６８６４９号明細書の一部継続出願である。
【０００２】
本発明は概して吸収性物品、特に改良された冷却特性を備えた吸収性物品に関する。
【０００３】
背景技術
体液を吸収するための様々な吸収性物品が知られている。吸収性物品の例は、おむつ、失禁用物品及び衛生用ナプキンを含む。
【０００４】
公知の吸収性物品に関連した１つの問題は、廃棄製品漏れであり、これは、パンツ、シャツ及びベッド等の布製物品を汚す。装着者によって経験される漏れの量は、液体が吸収性コアに進入する量を増大することによって減じることができる。したがって、液体が迅速にトップシートを通過し、吸収性コアに閉じ込められるような吸収性物品は、吸収性コアへ到達する前に液体がトップシートに沿って移動することができるような吸収性物品よりも、漏れが少ない。その結果、流出量低減は、吸収性物品に関連した漏れの量を減じる。
【０００５】
吸収性物品に関連した別の問題は、物品の皮膚接触面の乾燥である。概して、皮膚接触面がより乾燥しているほど、吸収性物品はより快適である。使い捨ておむつ構造における表面湿り度を減じるために試みがなされてきた。例えば、１９７６年３月２３日にanczurowskiに発行された米国特許第３９４５３８６号明細書、及び１９７６年６月２９日及び１９７６年１１月３０日にKaramiに発行された米国特許第３９６５９０６号明細書及び米国特許第３９９４２９９号明細書はそれぞれ、トップシートと吸収性コアとの間に挿入されたパーフォレーション付き熱可塑性フィルムを有するおむつ構造を開示している。１９８２年４月１３日にAzizに発行された米国特許第４３２４２４７号明細書には、流出量を減じることを及び吸収性物品の表面湿り度を減じることに向けられた努力が記載されている。
【０００６】
皮膚接触面の乾燥に加えて、皮膚接触面の感触も重要な考慮である。１つの問題は、幾つかの顧客は、成形フィルムに関連したプラスチック感触を好まない。吸収性物品の表面の感触を改良することに多数の努力が向けられてきた。１つの例は、Butterworth他に発行された米国特許第３９６７６２３号明細書に記載されている。Butterworth特許は、一体的な繊維質又はスエード外面を有するパーフォレーテッド熱可塑性ウェブから形成された対面シートを有する吸収性パッドを開示している。
【０００７】
典型的な吸収性物品、特に大人用失禁用おむつに関する付加的な問題は、装着者が２回以上放尿した場合に生じる。湿った感覚は、吸収されない流体がトップシートを通って横方向に、飽和したコア材料の領域から、吸収のための飽和していないコア材料の領域へ流れる時に感じられる。この感覚は極めて不快であり望ましくない。
【０００８】
吸収性物品に関する別の問題は、吸収性コアが廃棄物漏れから暖かい液体で湿る場合に生じる。これは、薄いポリマ壁を通って伝導することによって伝達される熱を生じる。従来のトップシート及び下層構造は、Ｘ−Ｙ平面における対流が、吸収性物品の冷却率を高めることができるレベルで生じることができるような、十分な妨害されない通路を提供しなかった。提供されたあらゆる空間は一般的に吸収性コア材料で充填されている。従来のトップシートは、“セル”としても知られるトップシートの毛管が流体を獲得し、それらの厚さが再湿りを適切に阻止するように設計されていた。下側は、鋭いねじりと小さな半径の回転とを備えた狭幅な下側空間から成っている。したがって、良好な流体獲得及び再湿りの低減のためにトップシートとして設計された三次元フィルムは、Ｘ−Ｙ平面の高められた冷却のための十分な手段を提供していない。
【０００９】
別の従来技術において、エンボスパターンの突出した又は雄側は、大気側に向かって配置された。この位置決めは下側における連続的空間を提供しなかった。これは、不十分なＸ−Ｙ平面対流を生じ、Ｚ方向（フィルムの平面に対して垂直方向）での液体及び蒸気に対するバリヤとして作用する。これにより、暖かい湿った蒸気が、吸収性物品と使用者の皮膚との間の境界層に捕捉される。これらの蒸気は、特に乳幼児用おむつの場合、乳幼児の皮膚に湿疹を生じる。さらに、失禁用おむつ又は女性用ナプキンを装着する大人のためには、これらの物品は一般的に暑く粘着質に感じられ、極めた不快で望ましくない間隔を生じる。暖かい湿った蒸気の排出を改良することに多数の努力が向けられた。例えば、Nishizawaに発行された米国特許第４６２６２５２号明細書及びShethに発行された米国特許第４７７７０７３号明細書は、通気性バックシート材料を開示している。さもなければ吸収性物品の内部環境に捕捉される暖かい湿った蒸気を逃がすことができる微孔性バックシートを提供するこの技術に多くの解釈及び改良が加えられた。通気性バックシートによって提供される通路は、使用者の皮膚表面の接線に対して垂直なＺ方向に存在する。吸収性物品の内側の蒸気は、物品の大気側における空気よりも高い温度及び高い湿度含有量を含むので、自然対流によって蒸気は吸収性物品から流出する。しかしながら、蒸気逃げルートはＺ方向でのみ提供されている。したがって、熱及び蒸気が、使用者身体と、その容量まで吸収された流体を有する吸収性コア材料との間にあるならば、熱及び蒸気を排出させる機会はほとんどない。
【００１０】
しかしながら、上の引用例のほとんどに記載された製品は、低減された表面流出量、トップシートの湿った感触を防止するための改良された能力、改良された感触、及び冷たい感触の全ての３つの所望の特性の良好な組み合わせを達成するのに理想的ではない。
【００１１】
発明の概要
吸収性物品は、トップシートと、バックシートと、トップシートとバックシートとの間の中間層とを有している。トップシート、バックシート又は中間層のうちの少なくとも１つは、少なくとも３００ｃｃ／ｍ２の雄側空隙率と、Third Insult Testにおける少なくとも８゜Ｆの温度における最初の分減少とを備えた、三次元真空成形フィルムである。
【００１２】
図面の簡単な説明
図１は、獲得分配層を使用する本発明の吸収性物品の斜視図である。
【００１３】
図２は、獲得分配層が従来の形式である、２−２線に沿って見た図１の吸収性物品の概略的な断面図である。
【００１４】
図３は、図２の従来の獲得分配層の拡大断面図である。
【００１５】
図４は、図１の吸収性物品において獲得分配層と指定使用するための、本発明の第１の実施形態の三次元アパーチャ付きフィルムの平面図である。
【００１６】
図５は、示された獲得分配層が、図４の５−５線に沿って見た図４の三次元アパーチャ付きフィルムの断面である、図２の２−２線に沿って見た図１の吸収性物品の断面図である。
【００１７】
図６は、図１の吸収性物品において獲得分配層として使用するために、本発明の第２の実施形態による三次元アパーチャ付きフィルムの平面図である。
【００１８】
図７は、示された獲得分配層が、図６の７−７線に沿って見た図６の三次元層アパーチャ付きフィルムの断面である、図２の２−２線に沿って見た図１の吸収性物品の断面図である。
【００１９】
図８は、図１の吸収性物品において獲得分配層として使用するための、本発明の第３の実施形態の三次元アパーチャ付きフィルムの平面図である。
【００２０】
図９は、示された獲得分配層が、図１の９−９線に沿って見た図８の三次元層アパーチャ付きフィルムの断面である、図１の２−２線に沿って見た図１の吸収性物品の断面図である。
【００２１】
図１０は、図８及び図９の三次元アパーチャ付きフィルムを使用する使い捨ておむつの平面図である。
【００２２】
図１１は、獲得分配層が、本発明の第４の実施形態の多層アパーチャ付きフィルムである、図１の吸収性物品の断面図である。
【００２３】
図１２は、獲得分配層が、本発明の第５の実施形態の多層アパーチャ付きフィルムである、図１の吸収性物品の断面図である。
【００２４】
図１３は、図１〜図１２の吸収性物品の様々な実施形態を試験するために使用される、液体獲得装置を示す概略図である。
【００２５】
図１４は、図１〜図１２に示された吸収性物品の様々な試料のための流体オーバフロー及び逆ロフトを示す、表１からのデータのグラフ表示である。
【００２６】
図１５は、試料の空隙容積空間を比較するための、試料２及び試料４の５０倍拡大平面図である。
【００２７】
図１６は、試料の空隙容積空間を比較するための、試料２及び試料４の５０倍拡大断面図である。
【００２８】
図１７は、本発明及び従来技術の吸収性物品の実施形態におけるThrid Insult Testの結果を示すグラフである。
【００２９】
発明の典型的な実施形態の詳細な説明
本発明は、三次元アパーチャ付きフィルム獲得分配層を有する吸収性物品に関する。吸収性物品の例は、おむつ、失禁用物品、衛生用ナプキン及び同様の物品を含む。
【００３０】
この出願のために、“吸収性物品”という用語は身体浸出液を吸収しかつ閉じ込める物品をいう。特に、この用語は、身体から排出された様々な浸出液を吸収しかつ閉じ込めるために、装着者の身体に対して又はその近傍に配置される物品をいう。“吸収性物品”という用語は、ここで使用される場合、おむつ、失禁用物品、衛生用ナプキン、パンティライナ、及び身体浸出液を吸収するために使用されるその他の物品を含む。
【００３１】
“おむつ”という用語は、足の間に引き上げられかつ装着者のウェストの周囲に固定される、乳幼児及び失禁者によって一般的に装着されるガーメントをいう。従来技術のおむつの例は、１９６７年１月３１日にDuncanに発行された米国再発行特許第２６１５２号明細書、１９７５年１月１４日にBuellに発行された米国特許第３８６０００３号明細書、１９８６年９月９日にWeisman他に発行された米国特許第４６１０６７８号明細書、１９８７年１月１６日にWeisman他に発行された米国特許第４６７３４０２号明細書、１９８７年９月２２日にLawsonに発行された米国特許第４６９５２７８号明細書、１９８７年１１月３日にBuellに発行された米国特許第４７０４１１５号明細書、１９８９年５月３０日にAlemany他に発行された米国特許第４８３４７３５号明細書、１９８９年１２月１９日にAngstadtに発行された米国特許第４８８８２３１号明細書、１９９０年３月２０日にAziz他に発行された米国特許第４９０９８０３号明細書に記載されている。
【００３２】
“失禁用物品”という用語は、大人又はその他の失禁者によって装着されるにかかわらず、パッド、下着、例えば、ベルト又はその他の装置等の懸吊システムによって所定の位置に保持されたパッド、吸収性物品のための挿入体、特に吸収性物品のための容積ブースタ、ブリーフ、ベッドパッド、及び同様の装置をいう。失禁用物品の例は、１９８１年３月３日にStricklandに発行された米国特許第４２５３４６１号明細書、Buellに発行された米国特許第４５９７７６０号明細書及び米国特許第４５９７７６１号明細書、Ahr他に発行された上記米国特許第４７０４１１５号明細書及び米国特許第４９０９８０２号明細書、１９９０年１０月２３日にGipson他に発行された米国特許第４９６４８６０号明細書、１９９１年にNoel他及びFeistによってそれぞれ出願された米国特許出願連続番号第０７／６３７０９０号明細書及び米国特許出願連続番号第０７／６３７５７１号明細書に開示されているものを含む。“衛生用ナプキン”は、身体から排出される様々な浸出液、例えば、血液、月経分泌物及び尿を吸収しかつ閉じ込めるために外陰部領域に隣接して女性によって装着される物品をいう。衛生用ナプキンの例は、１９８１年８月２５日にMcNairに発行された米国特許第４２８５３４３号明細書、１９８６年５月２０日及び１９８７年８月１８日にそれぞれVan Tilburgに発行された米国特許第４５８９８７６号明細書及び米国特許第４６８７４７８号明細書、１９９０年４月１７日及び１９９１年４月１６日にそれぞれOsborn他に発行された米国特許第４９１７６９７号明細書及び米国特許第５００７９０６号明細書、及び、１９９０年８月２１日及び１９９１年４月２３日にそれぞれOsbournに発行された米国特許第４９５０２６４号明細書及び米国特許第５００９６５３号明細書、Visscher他の名前で１９９０年１０月２９日に出願された米国特許出願連続番号第０７／６０５５８３号明細書に開示されている。
【００３３】
“パンティライナ”という用語は、概して月経期間の間に女性によって装着される衛生用ナプキンよりもかさばらない吸収性物品をいう。パンティライナの例は、１９８８年４月１９日にOsbornに発行された米国特許第４７３８６７６号明細書、“Pantiliner”に開示されている。
【００３４】
全ての特許、特許出願、それから発行するあらゆる特許、及びあらゆる対応する出版された外国特許出願、及びこの明細書を通じて言及された出版物の開示内容は、引用により本明細書に記載されたものとする。しかしながら、引用によって本明細書に記載されたいずれの文献も本発明を開示していることは明らかに認められない。本明細書に記載された商業的に利用可能な材料又は製品のいずれも本発明を開示していることは明らかに認められない。
【００３５】
ここで図１を参照すると、典型的な吸収性物品１０の単純化された表示が示されている。しかしながら、図１は、例のためにのみ示されており、吸収性物品の特定のタイプ又は構成を限定するために解釈されるべきではないことが理解されるべきである。図２に示したように、吸収性物品１０は基本的に、トップシート１２、バックシート１４、獲得分配層１５、及び吸収性コア１６を含む。吸収性コア１６は、上側若しくは身体対面側１７を有する。
【００３６】
吸収性物品１０は２つの面、すなわち身体接触面若しくは身体面１８と、ガーメント接触面若しくはガーメント面２０とを有している。身体面１８は、装着者の身体に隣接して装着される。吸収性物品１０のガーメント面２０（図２）は、その反対側であり、吸収性物品１０が装着された場合に装着者の下着又は衣服に隣接して配置される。
【００３７】
吸収性物品１０は、２つの中心線、すなわち長手方向中心線２２（図１）と横方向中心線２４（図１）とを有している。吸収性物品１０は、間隔を置いて配置された２つの長手方向縁部２６と、間隔を置いて配置された２つの横方向又は端部側縁部、すなわち端部２８とを有しており、これらは相俟って吸収性物品１０の周縁を形成している。
【００３８】
ここで吸収性物品１０の個々の構成部材をより詳しく見ていく。トップシート１２は、柔軟で、装着者の皮膚にとって柔らかい感触でありちくちくしない。さらに、トップシート１２は液体透過性であり、液体はトップシートの厚さを容易に通過する。トップシート１２は、身体対面側３２（図２）と、ガーメント対面側３４（図２）と、２つの長手方向縁部若しくは側部３６と、２つの端部側縁部３８（図１）とを有する。吸収性コア１６は上側若しくは身体対面側１７を有する。本明細書の残りの部分を通じて、同じ構成部材は本発明の全ての実施形態のために同じ参照符号を共有する。例えば、“トップシート”は各実施形態において参照符号１２によって表される。
【００３９】
トップシート１２は、不織布材料又は真空成形されたフィルム層から形成されている。トップシート１２は、獲得分配層１５に接着されることができるが（図２）、好適な実施形態においては、トップシート１２は、獲得分配層１５に接着されておらず、接触しているだけである。図３の吸収性物品は、再湿り防止（吸収防止）層として三次元アパーチャ付きプラスチックフィルム４４を使用する。三次元アパーチャ付きプラスチックフィルム４４は、身体対面側若しくは雌側４６と、ガーメント対面側若しくは雄側４８とを有する。トップシート１２のガーメント対面側３４は、好適には、アパーチャ付きプラスチックフィルム４の雌側４６と密接して維持されている。トップシート１２及び獲得分配層１５は以下でより詳しく吟味する。
【００４０】
トップシート１２は、液体に対して透過性のあらゆる不織布であることができる。適切な不織布は、天然繊維（例えば木繊維又は綿繊維）、合成繊維（例えばポリエステル、ポリプロピレン）又はそれらの組み合わせを含む様々な材料から製造される。トップシート１２は好適には、ポリプロピレン、ポリエステル、ポリエチレン、ポリビニルアルコール、デンプンベース樹脂、ポリウレタン、セルロース及びセルロースエステルから成るグループから選択された繊維から形成されている。
【００４１】
トップシート１２において使用するための不織布を製造するために様々な製造技術が使用される。例えば、不織布は、樹脂接着、ニードルパンチ、スパンボンド、カードにより形成される。カード不織布はサーマルボンド、エアスルー、スパンレースされたファブリックである。好適な不織布は、サーマルボンドポリプロピレン不織布である。
【００４２】
典型的なトップシート１２は、サーマルボンド領域のパターンを有する不織布である。不織布の１つの例は、カードされた熱的に点で接着されたポリプロピレンウェブを有する。このような不織布のサーマルボンドは一般的に、平面図で矩形である。ボンドは一般的に互い違いの列に配置されている。別の典型的な不織布は、同様に配置されたサーマルボンドを備えたスパンボンドポリプロピレンウェブである。さらに別の典型的な不織布は、Megison他に発行された米国特許第４７８１７１０号明細書に開示された方法に従ってエンボシングされた、カードポリプロピレンウェブである。この不織布は、平面図で菱形の、エンボシング及び熱接着された領域を有している。菱形のボンドは、間隔を置いて配置されており、Megison他特許の図１及び図２に示されているように菱形の格子状に配置されている。しかしながら、一般的に、エンボシングは、下側に位置するコアまで延びていない。
【００４３】
好適には、獲得分配層１５は、テーパした毛管を備えたパーフォレーション付き熱可塑性フィルムであり、毛管は、約１０％未満の流出量パーセントを有しておりかつ、テーパした毛管を通る増大した液体流量を有する。このようなフィルムを形成する方法は、二重表面処理を含み、この二重表面処理は、Thomas他に発行された米国特許第４５３５０２０号明細書及び米国特許第４４５６５７０号明細書、“Perforated Film”及び“Treatment of Perforated Film”のそれぞれによって開示されている。米国特許第４５３５０２０号明細書及び米国特許第４４５６５７０号明細書は引用により本明細書に記載されたものとする。この方法は、１つの表面処理が、内部化学的添加剤、すなわち界面活性剤を、フィルム成形ポリオレフィン樹脂に加えることによって提供される。この添加剤は、フィルムが樹脂から成形される前に、樹脂と合成されている又はさもなければ混合又はブレンドされている。フィルムが成形された後、コロナ放電処理によってフィルムを処理することによって別の表面処理が行われ、コロナ放電処理は、パーフォレーション付きフィルムにゼロ又はほぼゼロパーセントの流出を提供するように化学的添加剤に作用する。
【００４４】
界面活性剤は、界面活性剤が加えられていないポリオレフィンフィルムよりも大きな分極率をフィルム表面に提供する。より高い表面極性はより高い湿潤性を生じる。化学的に処理されたフィルムは、処理されていないフィルムよりも極性であるが、フィルム自体のコロナ放電処理は所望の最大湿潤性を提供する。この極性を達成しかつフィルムの表面に移動するあらゆる界面活性剤が本発明において使用されることができる。
【００４５】
ここで図３を参照すると、アパーチャ付きプラスチックフィルム４４は一般的にトップシート１２と吸収性コア１６との間に配置されている。図３に示されているように、アパーチャ付きプラスチックフィルム４４は、複数のテーパした毛管５０を有する三次元構造であり、各毛管は、ベース開口５２と、頂点開口５４とを有している。開口５４の頂点は吸収性コア１６と密接している。さらに、フィルム４４の雄側４８の表面積のほとんどは、コア１６と接触しているのに対し、雌側４６はコア１６とは反対側である。
【００４６】
アパーチャ付きプラスチックフィルム４４は一般的に液体不透過性の熱可塑性材料から製造されている。１つの適切な材料は、０．００１〜０．００２インチ（０．００２５〜０．００５１ｃｍ）の厚さを有する低密度ポリエチレンフィルムである。典型的なアパーチャ付きプラスチックフィルム４４の製造において使用するための熱可塑性材料は、概してポリエチレン、ポリプロピレン、塩化ポリビニル、澱粉ベース樹脂、ポリビニルアルコール、ポリウレタン、ポリカプロラクトン、セルロースエステル、又はこれらの組み合わせから成るグループから選択される。
【００４７】
１つの典型的な実施形態において、熱可塑性材料には、１９７５年１２月３０日にThompsonに発行された米国特許第３９３９１３５号明細書に示された形式、寸法、構成及び向きで、多数のテーパした毛管５０が設けられている。その他の典型的なアパーチャ付きプラスチックフィルムは、１９８２年４月１３日にMullaneに発行された米国特許第４３２４２４６号明細書、１９８２年８月３日にRadel他に発行された米国特許第４３４２３１４号明細書、１９８４年７月３１日にAhr他に発行された米国特許第４４６３０４５号明細書に開示されている。アパーチャ付きプラスチックフィルム４４は、熱可塑性ではない別のタイプのアパーチャ付きプラスチックフィルムから成ることもできる。使用されるフィルムのタイプは、トップシート１２の製造中にフィルム及び不織布構成部材が受ける処理のタイプに依存する。熱可塑性フィルムは一般的に、トップシート１２及び獲得分配層１５又はフィルム４４が一体的に溶融によって複合的な構造に形成される場合に使用される。その他のタイプのアパーチャ付きフィルムはハイドロフォーミングされたフィルムを含むがこれに限定されない。ハイドロフォーミングされたフィルムは、以下のCurroに発行された米国特許第４６０９５１８号明細書、米国特許第４６２９６４３号明細書、米国特許第４６９５４２２号明細書、米国特許第４７７２４４４号明細書、米国特許第４７７８６４４号明細書、米国特許第４８３９２１６号明細書、及びOuellette他に発行された米国特許第４６３７８１９号明細書のうちの少なくとも幾つかに記載されている。
【００４８】
一般的に、トップシート１２の不織布及びアパーチャ付きプラスチックフィルム４４は、面と面とを合わせて配置されている。２つの部材は固定されているか又は固定されていない。固定されているならば、２つの部材は様々な方法によって互いに固定されている。不織布及びアパーチャ付きフィルムを固定するための典型的な方法は、接着剤、熱接着及び／又は圧力接着を含む融着、超音波、ダイナミック機械的接着を含むが、これらに限定されない。
【００４９】
接着剤は、均一な連続的な層、パターン付けされた層、又は接着剤の別個の線、らせん、ビード又は点のアレイで提供されることができる。接着剤取付けは一般的に、１９８６年３月４日にMinetola他に発行された米国特許第４５７３９８６号明細書に開示されているような接着剤のフィラメントの開放パターンネットワーク、又は１９７５年１０月７日にSprague,Jr.に発行された米国特許第３９１１１７３号明細書、１９７８年１１月２２日にZieker他に発行された米国特許第４７８５９９６号明細書、１９８９年６月２７日にWereniczに発行された米国特許第４８４２６６６号明細書に示された装置及び方法によって例示されているような螺旋状パターンに旋回された接着剤フィラメントの複数のラインを有するフィラメントの開放パターンネットワークを含む。使用されることができる熱／圧力接着の別の方法は、１９８９年８月８日にBall他に発行された米国特許第４８５４９８４号に記載されている。
【００５０】
トップシート１２の不織布及びアパーチャ付きプラスチックフィルム４４は、択一的に間接的に固定される。例えば、不織布及びアパーチャ付きフィルム４４は、エアフェルトの薄い層に又はエアフェルトの薄い層を介して、又は不織布とアパーチャ付きプラスチックフィルム４４との間に位置決めされた疎水性の層に又は疎水性の層を介して固定されることができる。一般的に、１つ又は複数のこのような付加的な層は、以下により詳しく説明するように界面活性剤で処理される。
【００５１】
トップシート１２の不織布及びアパーチャ付きプラスチックフィルム４４は択一的に、米国特許第４９９５９３０号明細書においてMerz他によって開示されているように、複合的な構造に一体的に形成されることができる。ここで使用される場合、“複合的”、“複合的な構造”又は“組み合わせ”という用語は、不織布の部分がフィルム４４内へ又はフィルムが不織布内へ延びておりこれによりこれらが一体的に取り付けられている関係をいう。
【００５２】
ここで図４及び図５を参照すると、出願人の発明の改良された吸収性物品の第１の実施形態は、六角形パターンが提供された三次元アパーチャ付きフィルム５６から形成された獲得分配層１５を使用する。六角形のパターンは例示のために使用されているが、ここに説明されたいずれのフィルムのためにもその他のパターンが使用されることが理解されるべきである。その他のパターンの例は、円形、楕円形、長円形、又はその他の適切なパターン又はパターンの組み合わせを含む。六角形のパターンは、複数の隣接した六角形又はセル５８を形成している。好適な実施形態において、六角形のパターンは８．７５メッシュに基づき、“メッシュ”は１インチの長さに整合させられたセル５８の数である。８．７５のメッシュ数が好適であるが、２〜２５以上、好適には４〜１５のメッシュ数を使用することができる。好適には、各セル５８には、大きな孔直径、例えば５９ｍｉｌを有するアパーチャ６０が設けられており、この直径は、有害な流体が、流体が供給されるのと同じぐらい迅速に三次元アパーチャ付きフィルム５６を通って獲得されるようにするのに十分に大きい。
【００５３】
図４の５−５線に沿って見たフィルム５６の拡大断面図を示す図５を特に参照すると、三次元アパーチャ付きフィルム５６は、身体対面側若しくは雌側６２と、ガーメント対面側若しくは雄側６４とを有している。トップシート１２のガーメント対面側３４は、好適には、アパーチャ付きプラスチックフィルム５６の雌側６２と密接して維持されている。好適には、トップシート１２はフィルム５６と接触しているが、フィルム５６に接着されていない。
【００５４】
図５に示したように、フィルム５６はトップシート１２と吸収性コア１６との間に配置されている。アパーチャ付きプラスチックフィルム５６は、複数の毛管６６を有する三次元構造であり、それぞれの毛管は、ベース開口６８と頂点開口７０とを有している。毛管６６の頂点開口７０は吸収性コア１６と密接しており、好適には頂点開口７０は、この密接を保証するためにコア１６に固定されている。実質的に毛管６６の頂点開口のみがコア１６と密接しており、これにより、横方向でのこぼれを提供する空隙空間７４が実質的に妨害されないままであることを保証する。アパーチャ付きプラスチックフィルム５６の雌側６２において隣接するアパーチャ６０の間にランド領域７２が形成されている。アパーチャ付きプラスチックフィルム５６の雄側６４に空隙容積空間７４（図５）が形成されており、この空隙容積空間は、各セル５８の間の流体通路を提供する。好適には、空隙容積空間７４対頂点開口空間７０の比は２：１である。三次元アパーチャフィルム５６は、０．０３１〜０．１２５”、より好適には０．０４５〜０．１００”、最も好適には０．０５０”の幅７５、すなわち、雌側６２における表面と雄側６４における平面との距離、を有している。フィルム５６において使用される熱可塑性材料は、好適には、０．９１９〜０．９６０ｇ／ｃｃの密度を有しており、より好適な密度は約０．９３０〜０．９５０ｇ／ｃｃである。典型的な材料のための一般的なメルトインデックス範囲は、好適には、約０．１０〜約８．５０であり、より好適な範囲は一般的に約１．５〜約４．５である。
【００５５】
ここで図６及び図７を参照すると、出願人の発明の改良された吸収性物品の第２の実施形態は、六角形パターンが提供された三次元アパーチャ付きフィルム７６から形成された獲得分配層１５を使用する。ここでは六角形パターンが説明されているが、その他のパターンが使用されることができることが理解されるべきである。その他のパターンの例は、円形、楕円形、長円形、多角形、又はその他の適切なパターン又はパターンの組み合わせを含む。六角形パターンは、複数の隣接する六角形又はセル７８を形成する。好適な実施形態において、各セル７８は、六角形パターンの各セル７８を形成した六角形の辺から辺部分までを測定した場合に、１／３２〜１／２”である。より好適には、１／１６〜１／５”のセル７８が使用される。さらにより好適には、１／８”のセル７８が使用される。
【００５６】
図６の７−７線に沿ってフィルム７６の拡大断面図を示した図７をより具体的に参照すると、三次元アパーチャ付きフィルム７６は、身体対面側若しくは雌側８２と、ガーメント対面側若しくは雄側８４とを有している。トップ層１２のガーメント対面側３４は好適にはアパーチャ付きプラスチックフィルム７６の雌側８２と密接して維持されている。好適には、トップ層１２はフィルム７６と接触させられているが接着はされていない。
【００５７】
図７に示したように、トップ層１２と吸収性コア１６との間にはフィルム７６が配置されている。アパーチャ付きプラスチックフィルム７６は、複数の大きな開口又はバケット８６を有する三次元構造であり、各開口若しくはバケットは、ベース開口８８と頂点開口９０とを有している。バケット８６の頂点開口９０は吸収性コア１６と密接しており、好適には頂点開口９０は、この密接を保証するためにコア１６に固定されている。アパーチャ付きプラスチックフィルム７６の雌側８２において隣接するアパーチャ８０の間にはランド領域９２が形成されている。ハニカム形実施形態において、ランド領域９２は好適には比較的狭い。三次元アパーチャ付きフィルム７６は、３０ｍｉｌよりも大きな厚さ９４（図７）、すなわち雌側８２における表面と雌側８４における平面との間の距離、を有している。好適な実施形態において、厚さ９４は５０ｍｉｌである。
【００５８】
ここで図８及び図９を参照すると、出願人の発明の改良された吸収性物品の第３の実施形態は、六角形パターンが提供された三次元アパーチャ付きフィルム９６から形成された獲得分散層１５を使用する。六角形パターンは例示のために説明されており、ここで説明されたあらゆるフィルムのためにその他のパターンも使用することができることが理解されるべきである。その他のパターンは、円形、楕円形、長円形、多角形、又はその他の適切なパターンを含む。六角形パターンは、複数の隣接した六角形若しくはセル９８を形成する。好適な実施形態において、六角形パターンは８．７５メッシュに基づき、“メッシュ”は、１インチの長さにおいて整合させられたセル９８の数である。８．７５のメッシュ数が好適であるが、２〜２５、又はより好適には４〜１５のメッシュ数を使用することができる。好適には、各セル９８には、大きな孔直径、例えば５９ｍｉｌを有するアパーチャ１００が設けられている。三次元アパーチャ付きフィルム９６には複数の突出したリッジ１０１が形成されている。突出したリッジ１０１は好適には、長手方向に、又は吸収性物品１０の長手方向中心線２２（図１）に対して平行に延びている。
【００５９】
図８の９−９線に沿って見たフィルム９６の拡大断面図を示した図９を特に参照すると、三次元アパーチャ付きフィルム９６は、身体対面側若しくは雌側１０２と、ガーメント対面側若しくは雄側１０４とを有している。トップシート１２のガーメント対面側３４は好適にはアパーチャ付きプラスチックフィルム９６の雌側１０２と密接して維持されている。好適には、トップ層１２は、フィルム９６との接触を維持しているが接着はされていない。フィルム７６において使用される熱可塑性材料は好適には、約０．９１９〜０．９６０ｇ／ｃｃの範囲の密度を有しており、密度のより好適な範囲は約０．９３０〜０．９５０ｇ／ｃｃである。典型的な材料のための一般的なメルトインデックス範囲は、好適には約０．１０〜約８．５０であり、より好適な範囲は一般的に約１．５〜約４．５である。
【００６０】
図９に示したように、トップシート１２と吸収性コア１６との間にフィルム９６が配置されている。アパーチャ付きプラスチックフィルム９６は、複数の毛管１０６を有する三次元構造であり、各毛管はベース開口１０８と頂点開口１１０とを有している。毛管１０６の頂点開口１１０は吸収性コア１６と密接しており、好適には頂点開口１１０は、この密接を保証するためにコア１６に固定されている。実質的に毛管１０６の頂点開口１１０のみがコア１６と密接しており、したがって、横方向でのこぼれを提供する空隙空間１１４〜１１６は実質的に妨害されないままである。アパーチャ付きプラスチックフィルム９６の雌側１０２において隣接する開口１００の間にランド領域１１２が形成されている。空隙容積空間１１４が、アパーチャ付きプラスチックフィルム９６の雄側１０４に形成されており、この空隙容積空間は、各セル９８の間の流体通路を提供する。チャネル１１５（図９）は、各突出したリッジ１０１の雄側１０４に形成されている。拡大された空隙容積空間１１６は、チャネル１１５がアパーチャ付きプラスチックフィルム９６の空隙容積空間１１４と連通している場合に形成される。三次元アパーチャ付きフィルム９６は、０．０６５の範囲の厚さ１１８（図９）、すなわち雌側１０２における突出したリッジ１０１の表面と雄側１０４の平面との間の距離、を有している、すなわち、突出したリッジ１０１は好適には、フィルム９６のための０．０５０”の好適な厚さに０．０１５”を付加している。０．０５０”は最も好適な厚さであるが、０．０３１〜０．１２５”、より好適には０．０４５〜０．１００”を使用することができる。突出したリッジ１０１は、真空成形スクリーンの円周にワイヤを固定することによって、又は真空成形スクリーン上に細長い突出部を成形し、技術上知られた形式でフィルムをスクリーン上を通過させることによって形成されることができる。フィルム９６において使用される熱可塑性材料は好適には、０．９１９〜０．９６０ｇ／ｃｃの範囲の密度を有しており、より好適な密度範囲は約０．９３０〜０．９５０ｇ／ｃｃである。典型的な材料のための一般的なメルトインデックス範囲は好適には約０．１０〜８．５０であり、より好適な範囲は一般的に約１．５〜約４．５である。
【００６１】
突出したリッジ１０１を有する三次元アパーチャ付きフィルム９６の区分を使用する使い捨ておむつ１２０が、図１０に示されている。使い捨ておむつ１２０は長手方向中心線１２２と横方向中心線１２４とを有している。使い捨ておむつ１２０はここでは例としてのみ示されており、ここで説明される発明は、使い捨ておむつに限定されると解釈されるべきではなく、失禁用物品、衛生用ナプキン、パンティライナ又はその他の吸収性物品を含むこともできる。
【００６２】
ここで図１１を参照すると、出願人の発明の改良された吸収性物品の第４の実施形態は、三次元アパーチャ付きフィルム５６（図４及び図５）と、三次元アパーチャ付きフィルム９６（図８及び図９）とを使用しており、多層アパーチャ付きフィルム１２６と呼ばれる。三次元アパーチャ付きフィルム５６は、多層アパーチャ付きフィルム１２６の身体対面サブレイヤ１２８を形成している。三次元アパーチャ付きフィルム９６は多層アパーチャ付きフィルム１２６のガーメント対面サブレイヤ１３０を形成している。トップシート１２のガーメント対面側３４は好適には、身体対面サブレイヤ１２８を形成したアパーチャ付きプラスチックフィルム５６の雌側６２と密接させられている。好適には、トップ層１２はサブレイヤ１２８と接触しているが、接着はされていない。
【００６３】
図１１に示したように、多層アパーチャ付きフィルム１２６はトップシート１２と吸収性コア１６との間に配置されている。多層アパーチャ付きフィルム１２６は、流体を通過させる三次元構造である。身体対面サブレイヤ１２８を形成する三次元アパーチャ付きフィルム５６は、サブレイヤ１３０上に形成された突出したリッジ１０１と接触している。ガーメント対面サブレイヤ１３０を形成した三次元アパーチャ付きフィルム９６の頂点開口１１０は好適には吸収性コア１６と密接している。ガーメント対面サブレイヤ１３０を形成したアパーチャ付きプラスチックフィルム９６の、拡大した空隙容積空間１１６を形成した、空隙容積空間１４及びチャネル１１５は、身体対面サブレイヤ１２８を形成した三次元アパーチャ付きフィルム５６の付加的な空隙容積空間７４によって提供されている。別の拡大された空隙容積空間１３６は、チャネル１０１の高さの結果サブレイヤ１２８と１３０との間の空間によって形成されている。多層アパーチャ付きフィルム１２６は、厚さ１３８、すなわち、身体対面サブレイヤ１２８を形成した三次元アパーチャ付きフィルム５６の雌側６２と、三次元アパーチャ付きフィルム９６の雄側１０４の平面との間の距離、を有している。多層アパーチャ付きフィルム１２６のための好適な厚さ１３８は０．９０”であり、これは、フィルム９６のための好適な厚さである５０ｍｉｌと、突出したリッジ１０１のための１５ｍｉｌと、トップ層１２のための２５ｍｉｌとの合計である。多層フィルム１２６のサブレイヤ１２８及び１３０は好適には、Biagioli他に発行された米国特許第５６３５２７５号明細書、“Lamination of non-apertured three-dimensional films to apertured three-dimensional films and articles produced therefrom”によって開示された形式で、互いに接着されている。米国特許第５６３５２７５号明細書は引用によって本明細書に記載されたものとする。しかしながら、多層フィルム１２６は好適にはトップシート１２に接着されていない。
【００６４】
ここで図１２を参照すると、出願人の発明の改良された吸収性物品の第５の実施形態は、多層アパーチャ付きフィルム１４６と呼ばれる、三次元アパーチャ付きフィルム５６（図４及び図５）と、三次元アパーチャ付きフィルム７６（図６及び図７）とから形成された獲得分配層１５を使用する。三次元アパーチャ付きフィルム５６は多層アパーチャ付きフィルム１４６の身体対面サブレイヤ１４８を形成する。三次元アパーチャ付きフィルム５６は多層アパーチャ付きフィルム１４６のガーメント対面サブレイヤ１５０を形成する。トップシート１２のガーメント対面側３４は、好適には、身体対面サブレイヤ１４８を形成したアパーチャ付きプラスチックフィルム５６の雌側と密接している。好適には、トップ層１２はサブレイヤ１４８と接触しているが接着はされていない。
【００６５】
図１２に示したように、トップシート１２と吸収性コア１６との間には多層アパーチャ付きフィルム１４６が配置されている。しかしながら、多層アパーチャ付きフィルム１４６はトップシート１２なしで機能することもできることが考えられる。多層アパーチャ付きフィルム１４６は、流体を通過させる三次元構造である。身体対面サブレイヤ４８を形成した三次元アパーチャ付きフィルム５６は、サブレイヤ１５０を形成した三次元アパーチャ付きフィルム７６のランド領域９２と接触している。身体対面サブレイヤ１４８は、トップシート１２を、バケット８６から隣のバケット８６へ溢れる吸収されない流体から分離している。身体対面サブレイヤ１４８の空隙容積空間７４と、ガーメント対面サブレイヤ１５０のバケット８６とは、さらに拡大した空隙容積空間１５６を形成している。多層アパーチャ付きフィルム１４６は、厚さ１５８、すなわち身体対面サブレイヤ１４８を形成した三次元アパーチャ付きフィルム５６の雌側と、三次元アパーチャ付きフィルム７６の雄側８４の平面との間の距離、を有している。多層アパーチャ付きフィルム１４６のための好適な厚さ１５８は７０ｍｉｌ、すなわちガーメント対面サブレイヤ１５０のための５０ｍｉｌと、身体対面サブレイヤ１４８のための２０ｍｉｌとの合計である。多層フィルム１４６のサブレイヤ１４８及び１５０は好適には、Biagioli他に発行された米国特許第５６３５２７５号明細書によって開示された形式で、互いに接着されている。この米国特許明細書は引用により本明細書に記載されたものとする。しかしながら、多層フィルム１４６は好適にトップシート１２に接着されていない。複合的な多層アパーチャ付きフィルム１２６及び１４６は、Biagioli他に発行された米国特許第５６３５２７５号明細書の開示に従って構成されることができる。この米国特許明細書は引用により本明細書に記載されたものとする。
【００６６】
実用的には、三次元アパーチャ付きフィルム５６，７６，９６と、多層アパーチャ付きフィルム１２６，１４６とは、吸収性物品１０における獲得分配層１５として使用されることができる。吸収性物品１０は、流体吸収が望ましい用途のために使用される。使用時には、老若男女からの尿インサルト等の身体浸出液は吸収性物品１０に配置される。尿インサルトは一般的に、概して１つの流出箇所から排出される。インサルトが繰り返されると、望ましくない漏れ、又は使用者による望ましくない湿った感覚が、反復インサルト領域において飽和したコア材料１６によって、生じる。言い換えれば、吸収性コア１６は、特定領域における反復インサルトを吸収することができなくなる。その結果、吸収性物品１０に供給されるインサルトは、コア１６によって吸収されず、コア層１６の上側又は身体対面側１７に残る。出願人の発明は、コア層１６からの吸収されない流体を、コア層１６の飽和していない領域へ移動させる方法を提供する。フィルム７６の雌側８２における狭いランド領域９２は、好適には、十分に小さな表面積を有しており、これにより、そこに閉じ込められた流体は、１つのバケット８６から隣のバケット８６への吸収されない流体の溢れによってトップシート１２の部分が一時的に湿った時に使用者に湿った感覚を提供するには不十分な量である。吸収されない流体がトップシート１２に接触した時、トップシート１２の不快な湿った感触が生じる。湿ったトップシート１２は、装着者の皮膚との不快な流体接触を生じる。
【００６７】
例えば、三次元アパーチャ付きフィルム５６（図４及び図５）が吸収性物品１０（図１）において使用される場合、吸収されない又はコア層１６から溢れた流体は、空隙容積空間７４内を、コア１６の飽和していない領域まで流れることができる。隣接するセル５８（図４）の雄側６４（図５）における空隙容積空間７４は、大きな体積の流体がコア１６の飽和していない領域へ移動することができるように相互結合されている。複数の隣接する六角形は、飽和したコア領域１６の上面又は身体対面側１７から溢れる流体のための空間を提供する大きな下側の空隙容積空間を形成し、新たな飽和していない領域を見つける。次いで、繰り返されたインサルトにより生じる吸収されない流体は、吸収性コア材料１６の飽和したゾーンから流れ、下側の空隙容積空間７４を介して、吸収性コア材料１６の飽和していないゾーンへ方向転換される。三次元アパーチャ付きフィルム５６の空隙容積空間７４がないと、皮膚と接触したトップシート１２は、インサルト流体が吸収されるための新たな領域を探すので、濡れてしまう。雄側の空隙容積領域７４は、従来公知の再濡れ防止又は毛管作用防止層よりも著しく大きな合計空隙容積領域である。
【００６８】
別の例として、三次元アパーチャ付きフィルム７６（図６及び図７）が吸収性物品１０（図１）において使用される場合、所定の領域におけるコア材料１６の後にその領域に供給されたインサルト流体は、バケット８６内の飽和したプールであった。インサルト箇所におけるバケット８６が満杯になると、満杯のバケット８６内の流体が溢れるので、インサルト箇所に隣接したバケット８６が満たされる。完全なインサルト流体容積を収容するために、隣接するバケット８６の間で溢れ出しが生じるので、このプロセスは繰り返される。その結果、バケット８６からの溢れは、飽和していないコア材料１６の領域の近くに位置したバケット８６に流入し、流体は吸収される。バケット８６から隣接するバケット８６への吸収されない流体の溢れは、吸収されない液体を、流体が吸収されるコア材料１６の大きな領域に亘って分散させるので、トップシート１２の望ましくない濡れが回避される。連続気泡状の空隙領域８６は、従来公知のフィルム再濡れ防止又は毛管作用防止層よりも著しく大きな合計空隙領域である。三次元アパーチャ付きフィルム７６のためのランド領域９２の好適なパーセンテージ範囲は、合計表面積の５〜２０％である。大きなパターン付けされた獲得分配層材料又は三次元アパーチャ付きフィルム７６も、厚さのより大きな寸法、例えば、１／８”ハニカム実施形態において３０ｍｉｌよりも大きい、より好適には５０ｍｉｌを提供する。三次元アパーチャ付きフィルム６４の最も上側の平面と最も下側の平面との間のより大きな厚さ９４は、濡れたコア１６と、使用者の皮膚接触領域との間に、“毛管作用防止”バリヤ又は層を提供する。より大きな厚さ９４は乾燥した改良された感触を生じる。トップシート１２における材料は、湿られた合計容積の小さな割合でしかないので、容積が大きいほど、皮膚接触領域に隣接して提供される“エアクッション”が大きくなる。
【００６９】
さらに別の例として、三次元アパーチャ付きフィルム９６（図８及び図９）が吸収性物品１０（図１）において使用される場合、コア層１６において吸収されないインサルト流体は、空隙空間１１４内を流れることができる。隣接するセル９８（図９）の雄側１０４（図９）における空隙空間１１４は、大きな流体容積をコア１６の飽和していない領域へ移動させるように相互結合されている。さらに、突出したリッジ１０１は、さらに吸収されない流体を拡大した空隙空間１６を介して収容するようにチャネル１１５を形成している。チャネル１１５の別の利点は、チャネル１１５が、吸収されない流体を所望の方向、例えば、使い捨ておむつ１２０（図１０）の長手方向、すなわち長手方向中心線１２２に対して平行に方向付けるということである。吸収されない流体を長手方向に方向付けることにより、流体は、おむつの周縁部等の望ましくない位置に向かって流体を方向付けるのとは反対に、より多くの飽和していないコア材料１６を備えた位置へ方向付けられる。チャネル１１５は、使い捨ておむつ１２０の横方向中心線に対して平行な方向から離れるように流体を方向付ける。したがって、突出したリッジは、使い捨ておむつ２０からの横漏れを排除する場合に効果的である。
【００７０】
さらに、獲得分配層１５の様々な実施形態は、フィルム１２６（図１１）又はフィルム１４６（図１２）等の多層アパーチャ付きフィルムに組み合わされることができる。多層アパーチャ付きフィルム１２６は、吸収されない流体を収容するためにさらに拡大した空隙空間１３６を提供する。さらに拡大した空隙空間１３６により、吸収されない流体は、吸収されない流体がトップシート１２に接触することなしに、コア材料１６が飽和されていない領域へ流れることができ、これにより、使用者にとっての濡れた不快な感触を回避する。
【００７１】
多層アパーチャ付きフィルム１４６（図１２）は、吸収されない流体を収容するためにさらに拡大された空隙空間１５６を提供する。さらに拡大された空隙空間１５６により、吸収されない流体は、ランド９２を超えて、バケット８６から、コア材料１６が飽和されていない隣接するバケット８６へ溢れる。吸収されない流体がランド９２を超えてガーメント対面サブレイヤ１５０、すなわちフィルム７６のバケット８６から溢れた場合、身体対面サブレイヤ１４８、すなわちフィルム５６は、実質的に、流体がトップシート１２に接触するのを阻止し、これにより、使用者にとっての不快な濡れた感触を低減する。
【００７２】
三次元アパーチャ付きフィルム５６，７６，９６及び多層アパーチャ付きフィルム１２６，１４６の使用は、吸収性物品１０の獲得分配層１５の厚さを増大する。三次元アパーチャ付きフィルム５６，７６，９６の最も上側の平面と最も下側の平面との間の厚さ７５，９４，１１８，１３８が大きいほど、多層アパーチャ付きフィルム１２６及び１４６は、濡れたコア１６と、使用者の皮膚接触領域との間に“毛管作用防止”バリヤ又は層を提供する。より大きな厚さ７５，９４，１１８，１３８及び１５８は、乾燥した改良された感触を生じる。トップシート１２における材料は、占められた全容積の小さな割合でしかないので、容積が大きいほど、皮膚接触領域に隣接して提供される“エアクッション”が多くなる。
【００７３】
“溢れ”実施形態の大きな雌側の空隙は、吸収されない流体の分散を促進する。好適には、フィルムの１平方メートルあたり、雌側空隙容積は５００ｃｍ３よりも大きく、より好適には７５０ｃｍ３よりも大きく、最も好適には１０００ｃｍ３よりも大きい。付加的に、“溢れ”実施形態の大きな雄側空隙容積は、吸収されない流体の分散を促進する。好適には、フィルムの１平方メートルあたり、雄側空隙容積は、好適には５００ｃｍ３よりも大きく、より好適には６００ｃｍ３よりも大きく、最も好適には７５０ｃｍ３よりも大きい。
【００７４】
試験データ
試験はマルチプル・インサルト・アクイジション法を用いて行われた。複数の方法が、James P.Hanson著、Nonwovens World、１９９７年秋号第５７〜６３頁、“The Test Mess Part III - Credible Testing For Liquid Acquisition”の記事に詳細に説明されており、この記事は引用により本明細書に記載されたものとする。
【００７５】
より具体的には、出願人の試験は以下のように実施された。ここで図１３を参照すると、獲得分配層１５が存在する領域において吸収性物品１０から打抜き試料１６０が切断される。トップシート１２と獲得分配層１５とが吸収性物品１０から除去され、材料の向きを変化させないことに特に注意を払う。切断されたコア又は打抜き試料１６０のトップシート１２及び獲得分配層１５は、次いで、ランダムに計量され、平均重量と、重量のための標準偏差がランダムに記録される。次いで、吸収性コアを付加することによってそれぞれの打抜き試料１６０が再構成される。
【００７６】
全ての３つの層において獲得率性能を行うために、液体獲得装置１６２が使用される。装置１６２は、試料１６０に載置するための、中央に開口１６６を有するプレート１６４から形成されている。流体供給部１７９からの所望の流体流量及び供給量を受け取るために、制御式容積チャンバ１６８がプレート１６４から上方へ延びている。プレート１６４の僅かに上方の位置において、制御式容積チャンバ１６８から外方へオーバフロー管１７２が延びている。
【００７７】
６つの試料が上記の方法によって試験され、流体供給部１７０は７ｍｌ／ｓｅｃの流量で流体を制御式容積チャンバ１６８に圧送した。試料１〜２は、図３に示されたものと同様の獲得分配層を有する試料であり、試料は、以下の表１に示すように様々な厚さを有する。特に、試料１は、Aziz他に発行された米国発明登録番号第Ｈ１６７０号明細書に記載された従来のフィルムであり、このフィルムは、２０ｍｉｌの厚さ、円形又は六角形のセルのパターン、２２メッシュ数を有している。試料２は、Aziz他に発行された米国発明登録第Ｈ１６７０号明細書に記載された従来のフィルムであり、このフィルムは２３ｍｉｌの厚さ、六角形のセルのパターン、２５メッシュ数を有している。試料３及び４は本発明によるフィルムの例であり、試料３は、図４及び図５に示されたものと同様の雄側空隙流れ領域を備えた獲得分配層１５を有している。試料４は、図６及び図７に示された本発明の実施形態、すなわち“バケット”実施形態であり、獲得分配層に１／８”ハニカムパターンを有している。試料３は、試料４よりも、僅かにより低い厚さを有しているが（４９ｍｉｌ対５１ｍｉｌ）、より大きな雄側空隙容積を有している。特に、試料３は、８．７５メッシュ数の４９ｍｉｌ厚さの六角形パターンを有している。試料４は、８メッシュ数において５１ｍｉｌの厚さを備えた１／８”ハニカムパターンを有している。結果は以下の表１に示されている。
【００７８】
【表１】
2006524112.tif 000003
【００７９】
試験結果が図１４にグラフで示されている。図１４は、各試料１〜４の合計流体オーバフロー（ｍｌ）を示す棒グラフを示している。さらに、図１４は、各試料の膨張された厚さの逆数を示す線グラフを示している。合計流体オーバフローは、流体のｍＬ量が７ｍｌ／ｓｅｃで制御式容積チャンバ１６８に供給された時に液体獲得装置１６２のオーバフロー管１７２から流出する流体として定義される。オーバフロー管１７２を流過しない流体は試料１６０によって吸収される。
【００８０】
特定の試料の厚さが大きいほど、特定の試料に対して観察される合計流体オーバフローが少なくなることが図１４から分かる。本発明のフィルム、すなわち試料３及び４は、従来の設計を有するフィルム、すなわち試料１及び２よりも著しく大きな厚さを有する。試料３及び４は著しく少ない合計流体オーバフロー量を示している。試料１及び２の合計空隙容積は、試料材料の５５０ｃｃ／ｍ２よりも小さいのに対し、本発明の実施形態である試料３及び４のための合計空隙容積は、１０００ｃｃ／ｍ２よりも大きい。本発明のための好適な合計空隙容積は、７５０ｃｃ／ｍ２よりも大きく、より好適には８７５ｃｃ／ｍ２よりも大きく、最も好適には１０００ｃｃ／ｍ２よりも大きい。
【００８１】
既存のフィルムよりも、本発明のフィルムの空隙容積の著しい増大をさらに例示するために、試料２及び４の顕微鏡写真が図１５及び１６に示されている。図１５及び１６は試料２及び４を５０倍に拡大して示している。図１５は試料２及び４の平面図である。図１６は試料２及び４の側方から見た断面図である。図１５及び１６のそれぞれから空隙容積の著しい増大が明らかである。
【００８２】
最後に、空隙容積の実験計算を可能にするために、公知の倍率及び寸法のスケールの顕微鏡写真が、試料１〜４のそれぞれから撮られた。ここに説明された実施形態のセルは、Thompsonの第４９３９１３５号に記載されているような幾何学的切頭体に最も近似させられているが、Radelの第４３４２３１４号明細書に記載されているような実質的に直線的な壁部を有するセル等のその他のセル形状、及びRoseの第４８９５７４９号明細書に記載されたような、狭い点に向かって収束し、再びアパーチャ付き端部に向かって拡開したセルを含むことは本発明の範囲内である。雌側空隙容積、雄側空隙容積、合計空隙容積のための空隙容積データのための結果的な幾何学的計算は、以下の表２に示されている
【００８３】
【表２】
2006524112.tif 000004
【００８４】
試料３によって実証された本発明の“下側溢れ”実施形態は、他の試料のいずれもが有するよりも、著しく大きな雄側空隙容積、すなわち７５２ｃｃ／ｍ２を有している。試料４によって実証された本発明の“上側溢れ”実施形態は、他の試料のいずれもが有するよりも、著しく大きな雌側容積、すなわち１３５７ｃｃ／ｍ２を有している。
【００８５】
上記より、本発明は、繰り返されるインサルトの間及びその後に使用者によって感じられる濡れた感触を低減又は排除することが認められるであろう。なぜならば、吸収されない流体は、飽和したコア材料の領域から、吸収のために飽和していないコア材料の領域へ流れるからである。本発明は、吸収されない流体がトップシート１２と実質的に接触するのを防止しながら、吸収されない流体を、コア材料１６の飽和していない領域へ再方向付けする。本発明は、１カ所において多数のインサルトを受容する能力を提供しながら、トップシート１２の不快な濡れた感触を防止する。
【００８６】
好適な従来の材料に対する本発明のフィルムの利点を実証するために、比較冷却率を実証するために第３のインサルト試験が開発された。材料の意図された最終利用が、おむつ、ベッドパッド、又は尿のインサルトを獲得しやすい同様の物品であるならば、５０ｍｌの加熱された水が提供される。しかしながら、材料の意図された最終利用が、女性用ナプキン、包帯、又は血液ベースの浸出液のインサルトを獲得しやすい同様の物品である場合、３０ｍｌの加熱された水が提供される。
【００８７】
水は、各インサルトの量を測定するために使用される目盛りマークを備えたビーカにおいて加熱される。水は、水道水、蒸留水、又は塩水の様々な混合物であることができる。引用されたデータの場合、水道水が使用された。水は、ホットプレート上で１００゜Ｆ（３７．８℃）の目標温度にまで加熱された。初期インサルト温度における僅かな変動は、直接的比較データをグラフで示すために、各比較試験のために標準化された。
【００８８】
ビーカ内の水が目標温度に達すると、インサルトは手作業で試験試料上に注がれた。インサルト領域を閉じ込めかつ、閉塞及び試料に提供される圧力を実演するために、PlexiGlas（Ｒ）案内孔テンプレートが使用された。案内孔は、PlexiGlas（Ｒ）の４インチ×４インチ×１インチ厚さ（１０．２ｃｍ×１０．２ｃｍ×２．５ｃｍ）の中央における２インチ（５．１ｃｍ）の直径の孔であった。インサルトが案内孔に注入された後、１／４インチ（０．６ｃｍ）厚さ×１と７／８インチ（４．８ｃｍ）の直径のPlexiGlas（Ｒ）プラグが、閉塞及び圧力を提供するために、しかしながら主として単に大気中へ上昇することによって熱が逃げるのを阻止するために、すぐに案内孔内に落下させられた。
【００８９】
小さな溝が案内孔テンプレートの底部において一方の外縁部から案内孔自体まで切断されている。Ｊタイプ熱電対が試料に載置され、前記熱電対は案内孔テンプレートの溝の下側に配置されて、熱電対先端部は案内孔の中央、すなわちインサルト領域の中央に位置決めされる。溝は、熱電対に対する過剰な圧力が、試料を異常に圧縮したり、それ自体の特定の接触箇所における伝熱のための誤った直接伝導経路を形成することによって誤った読取りを生じるたりするのを回避するために裁断されている。
【００９０】
温度は、インサルトが、ペンシルバニア州ヨークのハニーウェルの支局であるTrendViewによって供給されたMiniTrend V5 Smart Recorder, model no.LTVM1324においてログされた後、時間が経過するに従って変化する。データは、あらゆる検温装置及びストップウォッチを用いて手動で集められることもできる。しかしながら、多くの様々なコンピュータ制御式データトラッキング装置が一般的に利用可能であり、著しく使いやすい。温度読取りは、温度が一定になり、もはや低下しなくなるまで、インサルトの後１分間隔で行われる。
【００９１】
おむつにおける獲得分配層の試験のために、サイズ３のための乳幼児おむつ、１６〜２０ポンドの乳幼児、が、おむつコンバータによる接触下で製造された。譲受人がAquiDry ＴＭの商標を出願した革新的なサブレイヤを備えたおむつと、従来の不織布サブレイヤを備えたおむつとは、その他の点では全て同じであるように構成された。
【００９２】
製造された又は市販の大人用おむつ及びその他の乳幼児おむつサイズが使用されることもできる。市販の材料がこの試験のために使用されるならば、全ての試料を同じ形式で分解及び復元するために注意が払われるべきである。革新的なコンポーネントを備えた復元された材料を、現在構成された形式における市販の従来の材料と比較することは、データにおける誤りを生じるおそれがある。
【００９３】
DriWeave （Ｒ）トップシートとして知られる好適な従来の女性用ナプキントップシートと、この技術の革新的なトップシート実施形態とが比較される試験のために、柔軟なウイングを備えた市販のAlways （Ｒ） Ultra Maxi パッドが基礎試料材料として使用された。制御試料のために、変換されたトップシートは注意深く除去され、変換されていないDriWeave （Ｒ） の新たな層と交換された。試験試料のために、変換されていないトップシートは除去され、トップシートの革新的な実施形態と交換された。
【００９４】
ここで図１７を参照すると、暖かい水でインサルトした後の時間に対する冷却率のグラフであり、従来技術のトップシートを、トップシートであってその突出したトンネルが突出したランドを有しておりこのランドがマイクロリッジ表面組織を備えているようなトップシートと比較しており、前記組み合わせは“Silky Ridges”として知られている。DriWeaveの新鮮なシートと市販のパッドのAlwaysブランドとを使用する従来技術の制御試料が比較された。試験試料は同じAlways基礎材料を使用し、突出したトンネルを有する革新的なトップシートを適用した。突出したトンネルの厚さは、ウェブの残りのうちのサブ平面セルの厚さよりも約１５．８％大きい。突出したトンネルは、これらのトンネルを分離する１つのサブ平面セルのみによって離間させられている。突出したトンネルはＹ方向にのみ延びている。
【００９５】
この材料のための下側空隙容積は少なくとも３５０ｃｃ／ｍ２である。その基礎パターンは、楕円形セルの４０メッシュ数（Ｘ方向で数えた場合）であり、楕円の長軸はＹ方向に延びており、突出したトンネルの本発明による付加がなければ少なくとも約２４０ｃｃ／ｍ２の空隙容積しか有していないであろう。再び、図１７は、インサルトの後の温度降下を示しており、温度は、従来技術の制御材料よりも試験材料の場合により急速に降下する。
【００９６】
本発明の別の特徴は、吸収性コアの詰め物の毛羽が本発明の材料の下側の経路に侵入するのを阻止する手段を提供し、これにより、通路が実質的に異物によって妨害されないということである。多くの実施形態において、このことは、吸収性コア材料と、本発明の材料の第２側平面との間に薄い紙の分離層を配置することによって容易に達成されることができる。トップシートのためには、分離層がトップシートの下側に配置される。獲得分離層のために、分離層はその層の下側に配置される。
【００９７】
約２５ｍｉｌ（６３５μ）より小さな厚さと、約１５ｇｓｍより小さな基礎重量とを有する極めて軽く薄い不織布は、分離層のためにもよく適している。３５セル毎線形インチ以上のメッシュ数の薄い微細メッシュの真空成形されたフィルムも、分離層としても適している。当業者は、これらの方法は限定しておらず、本発明の材料の下側通路にコアの毛羽が侵入するのを阻止するバリヤを提供するために複数のその他の手段が利用可能であることを認めるであろう。また、エアーレイ不織布材料を含む吸収性コアは、これらの通路に進入し詰まらせる毛羽粒子を含まない。
【００９８】
この技術のトップシートの下側に分離層を有することは好適であるが、多くの実施形態において、三次元セルの間の下側空間は十分に小さいので、吸収性コアの繊維質材料は、あらゆる実質的な量で下側空間を貫通することはできない。このことは特に、三次元アパーチャ付きトップシートの第１の身体側平面の上側に、突出したトンネルが付加されている実施形態において当てはまる。少量の毛羽がサブレベルセルの空隙に侵入するならば、毛羽が、トンネル領域をあらゆる有害な量まで妨害するようにトンネル領域に侵入することができることはありそうもないであろう。これらの及びその他の実施形態において、分離層を適用することは不要である。
【００９９】
上に開示されたような本発明の様々な実施によれば、吸収性物品における増大した冷却性能のために利用されるような、高空隙容積フィルムは、様々な寸法で構成されることができる。高熱蒸気が吸収性コア１６から逃げるためのＸ−Ｙ通路を有効に提供するために、高空隙容積フィルムは、少なくとも使用中に飽和されると予想される面積よりも大きい面積をカバーするべきである。例えば、吸収性コア１６の５０％が飽和されると予想されるならば、高空隙容積フィルムは、吸収性コア１６の面積の５０％以上をカバーするべきである。高空隙容積フィルムは、少なくとも、流体が吸収性物品に導入される目標領域を超えなければならない。別の実施において、高空隙容積フィルムは、吸収性コア１６の６０〜８０％をカバーするように構成されることができる。さらに別の実施において、高空隙容積フィルムは、吸収性コア１６の１００％をカバーするように構成されることができる。高空隙容積フィルムは、吸収性コア１６以上をカバーすることができるが、吸収性コア１６を超えて延びた高空隙容積フィルムは、冷却効果に著しく貢献することはない。
【０１００】
上に開示されたような本発明の様々な実施によれば、改良された吸収性物品のために利用される高空隙容積フィルムは、吸収性物品の複数の位置に配置されることができる。１つの実施において、高空隙容積フィルムは、獲得分配層１５としてトップシート１２と吸収性コア１６との間の中間位置に配置されている。別の実施において、高空隙容積フィルムは、吸収性コア１６とバックシート１４との間の中間位置に配置されている。さらに別の実施において、高空隙容積フィルムは、吸収性物品のバックシート１５として使用されることができる。さらに別の実施において、高空隙容積フィルムは、吸収性物品のトップシート１２として使用されることができる。付加的に、本発明において利用されるような高空隙容積フィルムは、上に開示されたように多数の位置において同時に配置されることができる。上に示された試験データは、獲得分配層１５としてトップシート１２と吸収性コア１６との間に高空隙容積フィルムを配置することによって得られた。この配列は、冷却効果を提供するためにフィルムのための最も挑戦的なシナリオを提供した。なぜならば、暖かい流体は、インサルトの直後にトップシート１２又はバックシート１４に又はこれらの周囲に対流するよりも長く獲得分配層１５に又はその周囲に対流するからである。
【０１０１】
本発明の様々な実施において開示された三次元アパーチャ付きフィルムは、Ｘ−Ｙ平面において十分な妨害されない経路を提供する。これは、Ｘ−Ｙ平面における暖かい湿った蒸気の豊富な対流を提供し、このことは吸収性物品の冷却率を高める。これらのフィルムは、流体を獲得しかつ再湿潤を適切に回避するためにのみ設計された従来のフィルムよりも豊富な改良を提供する。すなわち、良好な流体獲得及び再湿潤の低減のためにトップシート及び獲得分配層として設計された三次元フィルムは、Ｘ−Ｙ平面高められた冷却のための手段を提供しなかった。暖かい湿った蒸気の対流を改良するための努力において、通気性バックシートが導入された。しかしながら、通気性バックシートは、Ｘ−Ｙ平面において暖かい湿った蒸気の対流を改善せず、暖かい湿った蒸気はＺ方向又は垂直方向にのみ逃げた。十分な妨害されない通路がＸ−Ｙ平面にあると我々は述べたが、妨害されない通路はＸ及びＹ方向の両方に存在しているとは限らず、一方の方向のみ、例えばＸ方向にのみ存在することができる。そしてその方向は横方向とも呼ばれる。
【０１０２】
本発明は本明細書に例を挙げて説明されているが、様々な変更が当業者によって行われることができる。例えば、様々な形状、材料及び多層フィルム組み合わせは本発明の範囲に含まれる。別の例として、本発明はおむつ、失禁用物品、衛生用ナプキン及び関連する製品に関して説明されているが、本発明の吸収性物品は、吸収性材料が望まれるその他の身体被覆物を含みかつこれに限定されないその他の同様の製品に完全に適用可能である。このような身体被覆物は、医用ドレープ、医用ガウン、医用スモック、ストーマ装具、女性用衛生製品、身体搬送シート、流体収集パウチ、工業用クリーンルームガーメント、及びその他の製品を含むことができる。
【０１０３】
したがって、本発明は前記説明から明らかになると考えられる。図示及び説明された方法及び物品は好適であるように特徴づけられているが、請求項に定義された発明の精神及び範囲から逸脱することなく様々な変更及び修正が行われることができることが明らかであるべきである。
【図面の簡単な説明】
【０１０４】
【図１】獲得分配層を使用する本発明の吸収性物品の斜視図である。
【図２】獲得分配層が従来の形式である、２−２線に沿って見た図１の吸収性物品の概略的な断面図である。
【図３】図２の従来の獲得分配層の拡大断面図である。
【図４】図１の吸収性物品において獲得分配層と指定使用するための、本発明の第１の実施形態の三次元アパーチャ付きフィルムの平面図である。
【図５】示された獲得分配層が、図４の５−５線に沿って見た図４の三次元アパーチャ付きフィルムの断面である、図２の２−２線に沿って見た図１の吸収性物品の断面図である。
【図６】図１の吸収性物品において獲得分配層として使用するために、本発明の第２の実施形態による三次元アパーチャ付きフィルムの平面図である。
【図７】示された獲得分配層が、図６の７−７線に沿って見た図６の三次元層アパーチャ付きフィルムの断面である、図２の２−２線に沿って見た図１の吸収性物品の断面図である。
【図８】図１の吸収性物品において獲得分配層として使用するための、本発明の第３の実施形態の三次元アパーチャ付きフィルムの平面図である。
【図９】示された獲得分配層が、図１の９−９線に沿って見た図８の三次元層アパーチャ付きフィルムの断面である、図１の２−２線に沿って見た図１の吸収性物品の断面図である。
【図１０】図８及び図９の三次元アパーチャ付きフィルムを使用する使い捨ておむつの平面図である。
【図１１】獲得分配層が、本発明の第４の実施形態の多層アパーチャ付きフィルムである、図１の吸収性物品の断面図である。
【図１２】獲得分配層が、本発明の第５の実施形態の多層アパーチャ付きフィルムである、図１の吸収性物品の断面図である。
【図１３】図１〜図１２の吸収性物品の様々な実施形態を試験するために使用される、液体獲得装置を示す概略図である。
【図１４】図１〜図１２に示された吸収性物品の様々な試料のための流体オーバフロー及び逆ロフトを示す、表１からのデータのグラフ表示である。
【図１５】試料の空隙容積空間を比較するための、試料２及び試料４の５０倍拡大平面図である。
【図１６】試料の空隙容積空間を比較するための、試料２及び試料４の５０倍拡大断面図である。
【図１７】本発明及び従来技術の吸収性物品の実施形態におけるThrid Insult Testの結果を示すグラフである。
【符号の説明】
【０１０５】
１０  吸収性物品、  １２  トップシート、  １４  バックシート、  １５  獲得分配層、  １６  吸収性コア、  １８  身体接触面、  ２０  ガーメント接触面、  ２２  長手方向中心線、  ２４  横方向中心線、  ２６  長手方向縁部、  ２８  端部、  ３２  身体対面側、  ３６  長手方向縁部、  ３８  端部側縁部、  ４４  プラスチックフィルム、  ４６  雌側、  ４８  雄側、  ５０  毛管、  ５２  ベース開口、  ５４  頂点開口、  ５６  三次元アパーチャ付きフィルム、  ５８  セル、  ６０  アパーチャ、  ６２  雌側、  ６４  雄側、  ６６  毛管、  ６８  ベース開口、  ７０  頂点開口、  ７２  ランド領域、  ７４  空隙空間、  ７６  フィルム、  ７８  セル、  ８２  雌側、  ８４  雄側、  ８６  バケット、  ８８  ベース開口、  ９０  頂点開口、  ９２  ランド領域、  ９４  厚さ、  ９６  三次元アパーチャ付きフィルム、  ９８  セル、  １００  アパーチャ、  １０１  リッジ、  １０２  雌側、  １０６  毛管、  １０８  ベース開口、  １１０  頂点開口、  １１２  ランド領域、  １１４，１１５，１１６  空隙空間、  １２０  使い捨ておむつ、  １２２  長手方向中心線、  １２４  横方向中心線、  １２６  多層アパーチャ付きフィルム、  １２８  身体対面サブレイヤ、  １３０  ガーメント対面サブレイヤ、  １３６  空隙容積空間、  １３８  厚さ、  １４６  多層アパーチャ付きフィルム、  １４８  身体対面サブレイヤ、  １５０  ガーメント対面サブレイヤ、  １５８  厚さ、  １６０  打抜き試料、１６２  装置、  １６４  プレート、  １６６  開口、  １６８  制御式容積チャンバ、  １７２  オーバフロー管
【図１】
2006524112.tif 000005
【図２】
2006524112.tif 000006
【図３】
2006524112.tif 000007
【図４】
2006524112.tif 000008
【図５】
2006524112.tif 000009
【図６】
2006524112.tif 000010
【図７】
2006524112.tif 000011
【図８】
2006524112.tif 000012
【図９】
2006524112.tif 000013
【図１０】
2006524112.tif 000014
【図１１】
2006524112.tif 000015
【図１２】
2006524112.tif 000016
【図１３】
2006524112.tif 000017
【図１４】
2006524112.tif 000018
【図１５】
2006524112.tif 000019
【図１６】
2006524112.tif 000020
【図１７】
2006524112.tif 000021
【国際調査報告】
2006524112.tif 000022
2006524112.tif 000023
2006524112.tif 000024
2006524112.tif 000025